【手続補正書】
【提出日】平成26年4月24日(2014.4.24)
【手続補正１】
【補正対象書類名】特許請求の範囲
【補正対象項目名】全文
【補正方法】変更
【補正の内容】
【特許請求の範囲】
【請求項１】
制御装置に接続可能な記録装置であって、
記録媒体に記録する画像の画像データを記憶する画像データ記憶部と、
前記記録媒体の幅を検出する幅検出部と、
前記画像データ記憶部に記憶された前記画像データに基づいて、前記幅検出部により検出された前記記録媒体の幅に応じた紙幅対応画像データを生成する紙幅対応画像データ生成部と、
前記制御装置から所定の画像を記録させるコマンドが入力された場合、当該所定の画像に係る前記紙幅対応画像データに基づいて前記記録媒体に記録する記録制御部と、を備えることを特徴とする記録装置。
【請求項２】
前記紙幅対応画像データ生成部は、前記幅検出部により検出された前記記録媒体の幅に応じて前記画像データ記憶部に記憶された前記画像データを縮小又は拡大して前記紙幅対応画像データを生成し、
前記記録制御部は、
前記制御装置から所定の画像を記録させるコマンドが入力された場合、当該所定の画像に係る前記紙幅対応画像データに基づいて、縮小又は拡大された当該所定の画像を前記記録媒体に記録することを特徴とする請求項１に記載の記録装置。
【請求項３】
前記画像データは、白黒２値のビットマップデータであり、
前記紙幅対応画像データ生成部は、
前記画像データを縮小して、前記紙幅対応画像データを生成する際、
前記画像データに対して、隣接するドットの論理和をとり、論理和の結果を反映して、当該隣接するドットに対応する前記紙幅対応画像データのドットの値を決定する一方、
前記画像データにおける隣接するドットの態様が、前記紙幅対応画像データにおける黒潰れを防止すべく設定された所定の条件を満たす場合は、論理和の結果にかかわらず当該隣接するドットに対応する前記紙幅対応画像データのドットの値を所定の値とすることを特徴とする請求項２に記載の記録装置。
【請求項４】
前記紙幅対応画像データ生成部は、
前記画像データにおける隣接するドットについて、
当該隣接するドットの値の組み合わせが所定の組み合わせであり、かつ、前記紙幅対応画像データにおける当該隣接するドットに対応するドットと、周辺の他のドットとの関係が所定の関係にある場合は、当該隣接するドットに対応する前記紙幅対応画像データのドットの値を白を示す値とすることを特徴とする請求項３に記載の記録装置。
【請求項５】
前記紙幅対応画像データ生成部は、
前記記録装置の電源が投入されたこと、又は、前記記録装置の前記記録媒体が交換されたことをトリガーとして、前記紙幅対応画像データの生成を行うことを特徴とする請求項１ないし４のいずれかに記載の記録装置。
【請求項６】
制御装置に接続可能であり、記録媒体に記録する画像の画像データを記憶する画像データ記憶部を備える記録装置の制御方法であって、
前記記録媒体の幅を検出し、前記画像データ記憶部に記憶された前記画像データに基づいて、前記幅検出部により検出された前記記録媒体の幅に応じた紙幅対応画像データを生成し、
前記制御装置から所定の画像を記録させるコマンドが入力された場合、当該所定の画像に係る前記紙幅対応画像データに基づいて前記記録媒体に記録することを特徴とする記録装置の制御方法。
【請求項７】
前記記録媒体の幅を検出し、検出した前記記録媒体の幅に応じて前記画像データ記憶部に記憶された前記画像データを縮小又は拡大して、紙幅対応画像データを生成し、
前記制御装置から所定の画像を記録させるコマンドが入力された場合、当該所定の画像に係る前記紙幅対応画像データに基づいて、縮小又は拡大された当該所定の画像を前記記録媒体に記録することを特徴とする請求項６に記載の記録装置の制御方法。
【請求項８】
制御装置に接続可能であり、記録媒体に記録する画像の画像データを記憶する画像データ記憶部を備える記録装置の各部を制御する制御部により実行されるプログラムであって、
前記制御部を、
前記記録媒体の幅を検出する幅検出部と、
前記画像データ記憶部に記憶された前記画像データに基づいて、前記幅検出部により検出された前記記録媒体の幅に応じた紙幅対応画像データを生成する紙幅対応画像データ生成部と、
前記制御装置から所定の画像を記録させるコマンドが入力された場合、当該所定の画像に係る前記紙幅対応画像データに基づいて前記記録媒体に記録する記録制御部と、として機能させることを特徴とするプログラム。
【手続補正２】
【補正対象書類名】明細書
【補正対象項目名】発明の名称
【補正方法】変更
【補正の内容】
【発明の名称】記録装置、及び、記録装置の制御方法
【手続補正３】
【補正対象書類名】明細書
【補正対象項目名】０００１
【補正方法】変更
【補正の内容】
【０００１】
本発明は、制御装置に接続可能な記録装置、及び、当該記録装置の制御方法に関する。
【手続補正４】
【補正対象書類名】明細書
【補正対象項目名】０００６
【補正方法】変更
【補正の内容】
【０００６】
上記目的を達成するために、本発明は、前記紙幅対応画像データ生成部は、前記幅検出部により検出された前記記録媒体の幅に応じて前記画像データ記憶部に記憶された前記画像データを縮小又は拡大して前記紙幅対応画像データを生成し、前記記録制御部は、前記制御装置から所定の画像を記録させるコマンドが入力された場合、当該所定の画像に係る前記紙幅対応画像データに基づいて、縮小又は拡大された当該所定の画像を前記記録媒体に記録することを特徴とする。
この構成によれば、記録媒体の幅の種類に対応させて、複数のサイズの画像データを事前に記憶するのではなく、記録の対象の記録媒体の幅に応じて紙幅対応画像データを生成し、生成した当該データに基づいて記録を行う構成であるため、事前に記憶すべき画像データのデータ量の増大を抑制できる。さらに、制御装置から所定の画像を記録させるコマンドが入力された場合、当該所定の画像に係る紙幅対応画像データに基づいて、縮小又は拡大された当該所定の画像を記録媒体に記録する構成であるため、制御装置側で、文字を縮小、又は、拡大させる特殊なコマンドを生成し、出力することなく、記録装置側で、自動で、適切に画像の縮小又は拡大を実行でき、記録媒体の幅が変更された場合であっても、制御装置に対する改変をできるだけ行わないようにすることができる。
【手続補正５】
【補正対象書類名】明細書
【補正対象項目名】００１１
【補正方法】変更
【補正の内容】
【００１１】
また、上記発明の記録装置の制御方法であって、本発明は、前記記録媒体の幅を検出し、検出した前記記録媒体の幅に応じて前記画像データ記憶部に記憶された前記画像データを縮小又は拡大して、紙幅対応画像データを生成し、前記制御装置から所定の画像を記録させるコマンドが入力された場合、当該所定の画像に係る前記紙幅対応画像データに基づいて、縮小又は拡大された当該所定の画像を前記記録媒体に記録することを特徴とする。
この制御方法によれば、記録媒体の幅の種類に対応させて、複数のサイズの画像データを事前に記憶するのではなく、記録の対象の記録媒体の幅に応じて紙幅対応画像データを生成し、生成した当該データに基づいて記録を行う構成であるため、事前に記憶すべき画像データのデータ量の増大を抑制できる。さらに、制御装置から所定の画像を記録させるコマンドが入力された場合、当該所定の画像に係る紙幅対応画像データに基づいて、縮小又は拡大された当該所定の画像を記録媒体に記録する構成であるため、制御装置側で、文字を縮小、又は、拡大させる特殊なコマンドを生成し、出力することなく、記録装置側で、自動で、適切に画像の縮小又は拡大を実行でき、記録媒体の幅が変更された場合であっても、制御装置に対する改変をできるだけ行わないようにすることができる。